(57)【要約】【課題】  コンクリート工事の合理化で工期の短縮、工費の削減を図ることができるとともに、地上階建物側の開口部と鋼製床下収納庫側の出入口との位置ずれをなくして建築完成後の補修工事を不要にできるようにする。【解決手段】  地上階建物の建築予定領域に形成した掘削穴の周辺部に地上階建物用のコンクリート基礎３と同時に筒状耐力コンクリート壁５とこの耐力コンクリート壁５から上方に向けて突出するアンカー６が設けられており、鋼製床下収納庫４に取り付けられている固定金物８をアンカー６に挿通させ、かつ、固定金物８の下面を耐力コンクリート壁５の上端面に接触するように鋼製床下収納庫４を掘削穴１内に据え付け固定した後、鋼製床下収納庫４の底部のベースコンクリート１６と外周囲の壁コンクリート１７を一体に形成する。【選択図】      図７
2007032245.tif 000002
【特許請求の範囲】
【請求項１】
工場で断面ボックス型に製作され建設現場に搬入された既製の鋼製床下収納庫を、地上階建物の建築予定領域の地下の所定位置に埋め込み固定する鋼製床下収納庫の施工法であって、
前記地上階建物の建築予定領域に形成した掘削穴の周辺部には地上階建物用のコンクリート基礎と同時に鋼製床下収納庫の壁部外周を取り囲む状態の筒状耐力コンクリート壁が予め形成されているとともに、地上階建物用のコンクリート基礎の周方向複数個所には上方に向けて突出するアンカーが埋め込まれている一方、前記鋼製床下収納庫には、前記アンカーに挿通可能な孔を有し、この孔をアンカーに挿通させて下面を前記地上階建物用のコンクリート基礎の上端面に接触させることで鋼製床下収納庫の底部及び壁部外周にベースコンクリート形成用及び壁コンクリート形成用の空間を確保可能な固定金物が取り付けられており、
この固定金物の前記孔がアンカーに挿通され、かつ、前記下面が地上階建物用のコンクリート基礎の上端面に接触するように鋼製床下収納庫を吊下げ手段により前記掘削穴内に据え付け固定した後、前記空間に現場打ちコンクリートを流し込むことにより、前記鋼製床下収納庫の底部にベースコンクリートを、かつ、壁部外周に壁コンクリートを一体に形成することを特徴とする鋼製床下収納庫の施工法。
【請求項２】
前記固定金物には、鋼製床下収納庫の吊下げ用ピースが一体に設けられている請求項１に記載の鋼製床下収納庫の施工法。
【請求項３】
前記鋼製床下収納庫の底部には、現場打ちコンクリートにより形成されるベースコンクリート内に埋め込まれるワイヤメッシュがスタッドボルトを介して固定保持されている請求項１または２に記載の鋼製床下収納庫の施工法。
【発明の詳細な説明】
【技術分野】
【０００１】  本発明は、年間の温度差が非常に少なくて季節品やストック食品等の各種物品を最適な環境下で収納可能な床下収納庫で、特に土圧に対する耐力に優れるように工場で断面ボックス型に製作された既製の鋼製床下収納庫を建設現場に搬入して、地上階建物の建築予定領域の地下（半地下）の所定位置に埋め込み固定する鋼製床下収納庫の施工法に関するものである。
【背景技術】
【０００２】  この種の鋼製床下収納庫は、断面ボックス型で土圧に対して優れた耐力を有しているが、その耐力の増強の他に、鋼板や形鋼等の構成部材の腐食・防錆対策及び水漏れ対策として、該鋼製床下収納庫の土中埋設箇所の外周全域をコンクリートで被覆した複合構造とすることが要望される。【０００３】  このような要望に応えるために、従来では、地上階建物の建築予定領域に形成した掘削穴の底部に予めベースコンクリートを形成しておき、建設現場に搬入された既製の鋼製床下収納庫をクレーンなどにより吊下げて前記掘削穴内のベースコンクリート上に据え付けた後、その据え付けた鋼製床下収納庫の壁部と掘削穴の内壁との間に現場打ちコンクリートを流し込むことにより壁コンクリートを形成し、また、地上階建物用のコンクリート基礎工事は、前述した鋼製床下収納庫を取り囲むコンクリート工事の終了後に別工事として行うという施工法が採用されていた。
【発明の開示】
【発明が解決しようとする課題】
【０００４】  しかし、上記したような従来の鋼製床下収納庫の施工法による場合は、ベースコンクリート工事と、壁コンクリート工事と、地上階建物用のコンクリート基礎工事とをそれぞれ別工事として計三回行う必要があるために、全体工期が長くかかり、それだけ工費が嵩む問題がある。加えて、鋼製床下収納庫を掘削穴内のベースコンクリート上に据え付けた後の壁コンクリート形成のための現場打ちコンクリートの流し込みによって、鋼製床下収納庫が水平方向に動いたり、傾いたり、浮き上がったりしやすく、その結果、地上階建物の床面に設計通りに設けられている開口部と鋼製床下収納庫側の出入口との位置（芯）がずれるため、床下収納庫の設置完成後に位置ずれ補修工事等を行わなければならないという問題があった。【０００５】  本発明は上記実情に鑑みてなされたもので、コンクリート工事を合理化して工期の短縮、工費の削減を図ることができるとともに、地上階建物側の開口部と鋼製床下収納庫側の出入口との位置ずれをなくして設置完成後の補修工事等を不要にすることができる鋼製床下収納庫の施工法を提供することを目的としている。
【課題を解決するための手段】
【０００６】  上記目的を達成するために、本発明に係る鋼製床下収納庫の施工法は、工場で断面ボックス型に製作され建設現場に搬入された既製の鋼製床下収納庫を、地上階建物の建築予定領域の地下の所定位置に埋め込み固定する鋼製床下収納庫の施工法であって、
前記地上階建物の建築予定領域に形成した掘削穴の周辺部には地上階建物用のコンクリート基礎と同時に鋼製床下収納庫の壁部外周を取り囲む状態の筒状耐力コンクリート壁が予め形成されているとともに、地上階建物用のコンクリート基礎の周方向複数個所には上方に向けて突出するアンカーが埋め込まれている一方、前記鋼製床下収納庫には、前記アンカーに挿通可能な孔を有し、この孔をアンカーに挿通させて下面を前記地上階建物用のコンクリート基礎の上端面に接触させることで鋼製床下収納庫の底部及び壁部外周にベースコンクリート形成用及び壁コンクリート形成用の空間を確保可能な固定金物が取り付けられており、
この固定金物の前記孔がアンカーに挿通され、かつ、前記下面が地上階建物用のコンクリート基礎の上端面に接触するように鋼製床下収納庫を吊下げ手段により前記掘削穴内に据え付け固定した後、前記空間に現場打ちコンクリートを流し込むことにより、前記鋼製床下収納庫の底部にベースコンクリートを、かつ、外周囲に壁コンクリートを一体に形成することを特徴としている。
【発明の効果】
【０００７】  上記のような特徴構成を有する本発明施工法によれば、地上階建物用のコンクリート基礎の形成と同時に掘削穴の周辺部に土留壁となる筒状耐力コンクリート壁を形成することが可能であるとともに、この耐力コンクリート壁で囲まれた掘削穴内に据え付けられた鋼製床下収納庫と前記耐力コンクリート壁との間に形成される空間に現場打ちコンクリートを流し込むことにより、鋼製床下収納庫底部のベースコンクリートと鋼製床下収納庫の壁部外周を取り囲む壁コンクリートを一体に形成することが可能である。
このようにコンクリート工事としては、地上階建物用のコンクリート基礎工事と鋼製床下収納庫の土中埋設箇所の外周全域を被覆する現場打ちコンクリート工事との二回ですみ、全体工期を短縮化でき、それに伴って工費の削減を図ることができる。【０００８】  しかも、掘削穴周辺部に形成された地上階建物用のコンクリート基礎に埋め込まれているアンカー及び鋼製床下収納庫に取り付けられている固定金物を用いて、掘削穴内に据え付けられた鋼製床下収納庫を所定位置に確実に固定保持することが可能であるので、現場打ちコンクリートの流し込みに伴う鋼製床下収納庫の変位や浮き上がりを防止し、地上階建物の床面に設計通りに設けられている開口部と鋼製床下収納庫惻の出入口との位置（芯）ずれの発生がなく、設置完成後の補修工事等を不要とすることができる。
したがって、設置精度の向上を図りつつ、補修工事の不要化とコンクリート工事の合理化と相俟って、施工費全体を大幅に節減することができるという効果を奏する。【０００９】  本発明に係る鋼製床下収納庫の施工法において、請求項２に記載のように、前記固定金物に、鋼製床下収納庫の吊下げ用ピースを一体に設けることが好ましい。
この場合は、固定金物を、クレーンなどを用いて鋼製床下収納庫を吊下げて掘削穴内に据え付けるときの吊下げ部としても共用することが可能であり、別個に吊下げ金具を取り付ける場合に比べて、鋼製床下収納庫の製作コストを低減し、全体としてより一層の工費節減を図ることができる。【００１０】  また、本発明に係る鋼製床下収納庫の施工法において、請求項３に記載のように、前記鋼製床下収納庫の底部に、現場打ちコンクリートにより形成されるベースコンクリート内に埋め込まれるワイヤメッシュをスタッドボルトを介して固定保持しておくことによって、ベースコンクリートと鋼製床下収納庫との一体複合化が可能で、床下収納庫の耐力及び浮き上がり防止効果を一層増強することができる。
【発明を実施するための最良の形態】
【００１１】  以下、本発明の実施の形態を図面にもとづいて説明する。
図１〜図３は鋼製床下収納庫を地下に埋め込み施工する前の建設現場の状況を示す縦断側面図、縦断正面図、及び、平面図であって、該建設現場における地上階建物の建築予定領域の一部には、平面視矩形（長方形）の掘削穴１が形成されている。この掘削穴１の底部には後述するベースコンクリート支持用の割栗２が敷設されているとともに、掘削穴１の周辺部には地上階建物用のコンクリート基礎３と同時に、鋼製床下収納庫４の壁部４Ｗ全外周を取り囲む状態の鉄筋入り筒状（矩形環状）耐力コンクリート壁（土留壁）５が形成され、かつ、地上階建物用のコンクリート基礎３で前記掘削穴１の相対向する短辺部の両端近くにはそれぞれ上方へ向けて突出するアンカー６が埋め込まれている。【００１２】  一方、鋼製地下収納庫４は、適当ピッチに配置された平鋼等の芯材鉄骨の外側に薄肉鋼板を固定してなる壁、天井及び床の各構造体を工場生産の段階で組立てて断面ボックス型に製作され、トラック等により建設現場に搬入されるものであって、この既製の鋼製地下収納庫４の相対向する短辺方向壁部４Ｗの外面で所定の埋め込み深さに対応する高さ位置には、前記アンカー６に挿通可能な孔７を有し、前記地上階建物用のコンクリート基礎３に当接可能なプレート状の固定金物８が取り付けられている。この固定金物８には、クレーンなどの吊下げワイヤー先端のフックに係合可能な孔９を有するプレート状の吊下げ用ピース１０が一体に連設されている。また、鋼製地下収納庫４の底部４ｂには、後述するベースコンクリート内に埋め込まれるワイヤメッシュ１１がスタッドボルト１２を介して固定保持されている。【００１３】  次に、上記の鋼製地下収納庫４を前記耐力コンクリート壁５で囲まれた掘削穴１内に埋め込み固定する施工法について説明する。
（１）吊下げワイヤー先端のフックを固定金物８と一体の吊下げ用ピース１０の孔９に係合させたクレーンなどの作動により吊り下げられた鋼製地下収納庫４を掘削穴１の上方から該掘削穴１内に降下させる。
（２）この吊り下げ降下時に、図４に明示するように、固定金物８における孔７を前記地上階建物用のコンクリート基礎３から上方に向けて突出するアンカー６に挿通させて固定金物８の下面を地上階建物用のコンクリート基礎３の上端面に当接させた後、固定金物８をナット１３の締め付けによりアンカー６に固定することにより、鋼製地下収納庫４を、図５及び図６に示すように、掘削穴１内の中央部所定位置に所定深さで据え付け固定する。これによって、鋼製地下収納庫４の底部４ｂと割栗２との間にベースコンクリート形成用の空間１４を確保するとともに、鋼製地下収納庫４の壁部４Ｗと前記耐力コンクリート壁５との間に壁コンクリート形成用の空間１５を確保する。
（３）しかる後、前記壁コンクリート形成用空間１５の地表面開放部から該空間１５及びベースコンクリート形成用空間１４に現場打ちコンクリートを流し込むことにより、図７〜図９に示すように、鋼製地下収納庫４の底部４ｂにワイヤメッシュ１１が埋め込まれたベースコンクリート１６を形成するとともに、壁部４Ｗの外周囲に壁コンクリート１７を一体に形成して、鋼製床下収納庫４の土中埋設箇所の外周全域をコンクリート１６，１７で被覆した複合構造の床下収納庫を完成する。【００１４】  上記のような施工法の採用によって、コンクリート工事は、地上階建物用のコンクリート基礎３工事と鋼製床下収納庫４の土中埋設箇所の外周全域を被覆する現場打ちコンクリート工事との二回ですみ、全体工期の短縮化が図れ、それに伴って工費の削減も図ることができる。【００１５】  その上、掘削穴１周辺部に形成された地上階建物用のコンクリート基礎３に埋め込まれているアンカー６及び鋼製床下収納庫４に取り付けられている固定金物８を用いて、鋼製床下収納庫４を掘削穴１内の所定位置に据え付け固定することが可能であるので、現場打ちコンクリートの流し込みに伴う鋼製床下収納庫４の変位や浮き上がりを防止し、地上階建物の床面に設計通りに設けられている開口部と鋼製床下収納庫４側の出入口との位置（芯）ずれの発生がなく、建築完成後の補修工事を不要とすることができる。したがって、設置精度の向上を図りつつ、補修工事の不要化とコンクリート工事の合理化と相俟って、施工費全体を大きく節減することができる。【００１６】  なお、上記実施の形態では、アンカー６及び固定金物８を、地上階建物用のコンクリート基礎３及び鋼製床下収納庫４の短辺方向の両端部の計四箇所に配置したもので説明したが、それ以上の数を配置してもよいこともちろんである。【００１７】  また、上記固定金物８における孔７をその径が前記アンカー６の直径よりも大きい、いわゆる、バカ孔７に形成しておくことにより、鋼製地下収納庫４の吊り下げ降下時に孔７をアンカー６に挿通しやすくなり、それだけ作業性の向上が図れる。ただし、この場合は、固定金物８をナット１３の締め付けによりアンカー６に固定するとき、ワッシャーを用いて径の違いによる位置変動を抑制することが望ましい。【００１８】  さらに、上記実施の形態では、鋼製床下収納庫４を半地下式に埋め込み固定するもので示したが、鋼製床下収納庫４の全体を地下に埋め込み固定する場合の施工法に適用しても、上記したと同様な効果を奏することが可能である。
【図面の簡単な説明】
【００１９】
【図１】鋼製床下収納庫を地下に埋め込み施工する前の建設現場の状況を示す縦断側面図である。
【図２】同上の縦断正面図である。
【図３】同上の平面図である。
【図４】本発明に係る施工法の工程の一つで、鋼製地下収納庫を掘削穴内に据え付け固定する時の要部の拡大縦断側面図である。
【図５】同上の全体縦断側面図である。
【図６】同上の全体縦断正面図である。
【図７】本発明に係る施工法により完成された地下収納庫全体の状況を示す拡大縦断側面図である。
【図８】同上の縦断正面図である。
【図９】同上の平面図である。
【符号の説明】
【００２０】１  掘削穴
３  地上階建物用のコンクリート基礎
４  鋼製床下収納庫
４Ｗ  壁部
４ｂ  底部
５  耐力コンクリート壁
６  アンカー
７  アンカー挿通孔
８  固定金物
９  フック係合孔
１０  吊下げ用ピース
１１  ワイヤメッシュ
１２  スタッドボルト
１４  ベースコンクリート形成用空間
１５  壁コンクリート形成用空間
１６  ベースコンクリート
１７  壁コンクリート
【図１】
2007032245.tif 000003
【図２】
2007032245.tif 000004
【図３】
2007032245.tif 000005
【図４】
2007032245.tif 000006
【図５】
2007032245.tif 000007
【図６】
2007032245.tif 000008
【図７】
2007032245.tif 000009
【図８】
2007032245.tif 000010
【図９】
2007032245.tif 000011